【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
データを保存するために形成された１つ以上のシーケンシャル記録領域（ｒｅｃｏｒｄｉｎｇ  ｒａｎｇｅ）を有する少なくとも１つの記録層と、
各々がシーケンシャル記録領域に対応し、および前記対応するシーケンシャル記録領域の記録状態を示している少なくとも１つの状態（ｓｔａｔｕｓ）フィールドを含む１つ以上のシーケンシャル記録領域エントリであって、前記少なくとも１つの状態フィールドは、前記対応するシーケンシャル記録領域が少なくとも１つのシーケンシャル記録領域のグループであるセッションのスタートであるかどうかを示しているセッションスタートフラグを含んでおり、各々が、前記対応するシーケンシャル記録領域がどこで開始するかを示しているスタートアドレスと、前記対応するシーケンシャル記録領域の最後に記録されたアドレスを示しているラストアドレスフィールドと、をさらに含んでいるシーケンシャル記録領域エントリと
を備えたことを特徴とする記録媒体。
【請求項２】
記録可能なロケーションを有するオープンのシーケンシャル記録領域の各々を識別するオープンシーケンシャル記録領域のリストをさらに備えたことを特徴とする請求項１に記載の記録媒体。
【請求項３】
各前記シーケンシャル記録領域エントリは、最初のビットである最上位ビットを持つ６４ビット列からなることを特徴とする請求項１に記載の記録媒体。
【請求項４】
前記少なくとも１つの状態フィールドは、４ビットのサイズを有し、４ビットの１つは、前記セッションスタートフラグとして使用されることを特徴とする請求項３に記載の記録媒体。
【請求項５】
前記スタートアドレスフィールドおよび前記ラストアドレスフィールドの各々は、２８ビットのサイズを有することを特徴とする請求項３に記載の記録媒体。
【請求項６】
前記シーケンシャル記録領域エントリはシーケンシャル記録領域エントリリストを形成し、前記シーケンシャル記録領域エントリは、前記スタートアドレスフィールドに基づいて、所定の順序で保存されていることを特徴とする請求項１乃至５いずれかに記載の記録媒体。
【請求項７】
前記保存されたシーケンシャル記録領域エントリは、前記少なくとも１つの記録層上に指定された一時欠陥管理エリアに保存されることを特徴とする請求項６に記載の記録媒体。
【請求項８】
少なくとも１つの記録層を持つ記録媒体上に、管理情報を記録する方法であって、前記記録層は、データを保存するために形成された１つ以上のシーケンシャル記録領域（ｒｅｃｏｒｄｉｎｇ  ｒａｎｇｅ）を有し、前記方法は、
（ａ）前記少なくとも１つの記録層上に１つ以上のシーケンシャル記録領域エントリを記録するステップであって、各前記シーケンシャル記録領域エントリは、シーケンシャル記録領域に対応し、および前記対応するシーケンシャル記録領域の記録状態を示す少なくとも１つの状態（ｓｔａｔｕｓ）フィールドを含んでおり、前記少なくとも１つの状態フィールドは、前記対応するシーケンシャル記録領域が少なくとも１つのシーケンシャル記録領域のグループによって形成されているセッションのスタートであるかどうかを示すセッションスタートフラグを含んでおり、各前記シーケンシャル記録領域エントリは、前記対応するシーケンシャル記録領域がどこで開始するかを示しているスタートアドレスと、前記対応するシーケンシャル記録領域の最後に記録されたアドレスを示しているラストアドレスフィールドと、をさらに含んでいるステップ
を備えることを特徴とする方法。
【請求項９】
（ｂ）記録可能なロケーションを有するオープンのシーケンシャル記録領域の各々を識別するオープンシーケンシャル記録領域のリストを記録するステップ
をさらに備えることを特徴とする請求項８に記載の方法。
【請求項１０】
前記シーケンシャル記録領域エントリはシーケンシャル記録領域エントリリストを形成し、前記方法は、
前記スタートアドレスフィールドに基づいて、所定の順序で前記シーケンシャル記録領域エントリをソートするステップをさらに備えることを特徴とする請求項８または９に記載の方法。
【請求項１１】
前記記録するステップ（ａ）および（ｂ）は、前記シーケンシャル記録領域エントリおよび前記オープンシーケンシャル記録領域のリストを、前記少なくとも１つの記録層上に指定された一時欠陥管理エリアに記録することを特徴とする請求項８または９に記載の方法。
【請求項１２】
データを保存するために形成された１つ以上のシーケンシャル記録領域（ｒｅｃｏｒｄｉｎｇ  ｒａｎｇｅ）を含む少なくとも１つの記録層を有する記録媒体上に、管理情報を記録する装置において、
前記記録媒体上にデータを記録するよう構成された光ピックアップと、
前記ピックアップを制御して、前記少なくとも１つの記録層上に１つ以上のシーケンシャル記録領域エントリを記録するよう構成されたマイクロコンピュータであって、各前記シーケンシャル記録領域エントリは、シーケンシャル記録領域に対応し、および前記対応するシーケンシャル記録領域の記録状態を示す少なくとも１つの状態（ｓｔａｔｕｓ）フィールドを含んでおり、前記少なくとも１つの状態フィールドは、前記対応するシーケンシャル記録領域が少なくとも１つのシーケンシャル記録領域のグループによって形成されているセッションのスタートであるかどうかを示すセッションスタートフラグを含んでおり、各前記シーケンシャル記録領域エントリは、前記対応するシーケンシャル記録領域がどこで開始するかを示しているスタートアドレスと、前記対応するシーケンシャル記録領域の最後に記録されたアドレスを示しているラストアドレスフィールドとをさらに含んでいるマイクロコンピュータと
を備えたことを特徴とする装置。
【請求項１３】
前記マイクロコンピュータは、前記ピックアップを制御して、記録可能なロケーションを有するオープンのシーケンシャル記録領域の各々を識別するオープンシーケンシャル記録領域のリストを記録するように構成されたことを特徴とする請求項１２に記載の装置。
【請求項１４】
前記マイクロコンピュータは、前記ピックアップを制御して、６４ビット列を有する各前記シーケンシャル記録領域エントリを記録するよう構成されたことを特徴とする請求項１２に記載の装置。
【請求項１５】
前記マイクロコンピュータは、前記ピックアップを制御して、４ビットのサイズを有し、４ビットの１つが前記セッションスタートフラグとして使用される前記少なくとも１つの状態フィールドの各々を記録するよう構成されたことを特徴とする請求項１４に記載の装置。
【請求項１６】
前記マイクロコンピュータは、前記ピックアップを制御して、３ビットのサイズを有し、前記対応するシーケンシャル記録領域のタイプを示しているシーケンシャル記録領域タイプフィールドさらに含む前記少なくとも１つの状態フィールドを記録するよう構成されたことを特徴とする請求項１４に記載の装置。
【請求項１７】
前記シーケンシャル記録領域エントリはシーケンシャル記録領域エントリリストを形成し、前記マイクロコンピュータは、前記ピックアップを制御して、前記スタートアドレスフィールドに基づいて、所定の順序で前記シーケンシャル記録領域エントリをソートするよう構成されたことを特徴とする請求項１２乃至１６いずれかに記載の装置。
【請求項１８】
前記マイクロコンピュータは、前記ピックアップを制御して、前記ソートされたシーケンシャル記録領域エントリおよび前記オープンシーケンシャル記録領域のリストを、前記少なくとも１つの記録層上に指定された一時欠陥管理エリア上に記録するよう構成されたことを特徴とする請求項１７に記載の装置。
【請求項１９】
データを保存するために形成された１つ以上のシーケンシャル記録領域（ｒｅｃｏｒｄｉｎｇ  ｒａｎｇｅ）を含む少なくとも１つの記録層を有する記録媒体上の管理情報を再生する方法であって、前記方法は、
（ａ）前記記録媒体から１つ以上のシーケンシャル記録領域エントリを再生するステップであって、各々の前記シーケンシャル記録領域エントリは、シーケンシャル記録領域に対応し、および前記対応するシーケンシャル記録領域の記録状態を示している少なくとも１つの状態（ｓｔａｔｕｓ）フィールドを含んでおり、前記少なくとも１つの状態フィールドは、前記対応するシーケンシャル記録領域が少なくとも１つのシーケンシャル記録領域のグループで形成されているセッションのスタートであるかどうかを示すセッションスタートフラグを含んでおり、各前記シーケンシャル記録領域エントリは、前記対応するシーケンシャル記録領域がどこで開始するかを示しているスタートアドレスと、前記対応するシーケンシャル記録領域の最後に記録されたアドレスを示しているラストアドレスフィールドと、をさらに含んでいるステップと、
（ｂ）前記１つ以上のシーケンシャル記録領域エントリに基づいて、各前記シーケンシャル記録領域の状態を確認するステップと
を備えることを特徴とする方法。
【請求項２０】
データを保存するために形成された１つ以上のシーケンシャル記録領域（ｒｅｃｏｒｄｉｎｇ  ｒａｎｇｅ）を含む少なくとも１つの記録層を有する記録媒体上の管理情報を再生する装置であって、前記装置は、
前記記録媒体からデータを再生するよう構成されたピックアップと、
前記ピックアップに動作的に結合され、前記ピックアップを制御して前記記録媒体から１つ以上のシーケンシャル記録領域エントリを再生するように構成されたマイクロコンピュータであって、各前記シーケンシャル記録領域エントリはシーケンシャル記録領域に対応し、および前記対応するシーケンシャル記録領域の記録状態を示す少なくとも１つの状態（ｓｔａｔｕｓ）フィールドを含んでおり、前記少なくとも１つの状態フィールドは、前記対応するシーケンシャル記録領域が少なくとも１つのシーケンシャル記録領域のグループによって形成されているセッションのスタートであるかどうかを示すセッションスタートフラグを含んでおり、各前記シーケンシャル記録領域エントリは、前記対応するシーケンシャル記録領域がどこで開始するかを示しているスタートアドレスと、前記対応するシーケンシャル記録領域の最後に記録されたアドレスを示しているラストアドレスフィールドとをさらに含んでおり、および、前記１つ以上のシーケンシャル記録領域エントリに基づいて、各前記シーケンシャル記録領域の状態を確認するよう構成されたマイクロコンピュータと
を備えたことを特徴とする装置。